(57)【要約】【課題】安価な構成で節電運転を可能とした冷蔵庫の提供。【解決手段】冷蔵室内に冷気を吐出する吐出口１０を有する吐出風路１１と、冷蔵室内の冷気を吸い込む吸込み口１２を有する戻り風路１３と、冷蔵室の温度を検知する温度検知手段１８とを有する冷蔵庫であって、当該冷蔵庫には更に前記吐出風路と隣接する隣接空間１７を設け、この隣接空間に前記温度検知手段を設け、前記隣接空間を前記冷却ファン８からの冷気でも冷却するように構成するとともに、前記隣接空間の冷却をする／しないを選択する調整手段２３を設けた構成としてある。これにより、隣接空間を冷却する、しない、によって冷蔵室２の管理温度を変更できるようになり、安価かつ信頼性の高い構成で冷蔵室温度を高め設定して節電運転することが可能となる。【選択図】図７
2014077607.tif 000002
【特許請求の範囲】
【請求項１】
冷蔵室と、冷凍室と、圧縮機と、冷却器と、冷却ファンと、前記冷蔵室内に冷気を吐出する吐出口を有する吐出風路と、前記冷蔵室内の冷気を吸込む吸込み口を有する戻り風路と、前記冷蔵室の温度を検知する温度検知手段とを備えた冷蔵庫であって、当該冷蔵庫に更に前記吐出風路と隣接して冷蔵室内に面する隣接空間を設け、この隣接空間に前記温度検知手段を設け、前記隣接空間を前記冷却ファンからの直通冷気で冷却可能に構成するとともに、前記隣接空間の直通冷気による冷却をする／しないに選択可能な調整手段を設けたことを特徴とする冷蔵庫。
【請求項２】
前記隣接空間は吐出風路に隣接して設けるとともに当該隣接空間と吐出風路とを連通する連通孔を設け、前記連通孔を調整手段で開閉調整することにより隣接空間への冷気の流れを調整することを特徴とした請求項１に記載の冷蔵庫。
【請求項３】
前記隣接空間は冷蔵室の冷気の吐出口近傍に冷気取込孔を有し、更に当該隣接空間は戻り風路に隣接して設けるとともに当該隣接空間と戻り風路とを連通する連通孔を設け、前記連通孔或いは冷気取込孔の一方を調整手段で開閉調整することにより隣接空間への冷気の流れを調整することを特徴とした請求項１に記載の冷蔵庫。
【請求項４】
前記隣接空間に照明手段を設け、前記照明手段と前記温度検知手段とは同一基板上に配置したことを特徴とする請求項１から３のいずれか１項に記載の冷蔵庫。
【発明の詳細な説明】
【技術分野】
【０００１】
本発明は冷蔵庫に関するものである。
【背景技術】
【０００２】
一般に冷蔵庫はファンによって冷気を循環し、この冷気によって内部に収納した食品等を冷却している。そしてこの様な冷蔵庫の中には冷蔵室と冷凍室の二室からなるものがあり、その中には温度調節機能を持たず冷蔵室の管理温度を一定値、例えば４℃に設定し、かつ、冷蔵室と冷凍室への冷気配分を手動切換する切換手段を設けただけの冷蔵庫がある。
【０００３】
この様な冷蔵庫は冷蔵室側に設けた温度検知手段によって冷蔵室の温度を管理温度、例えば４℃に管理し、冷凍室側の温度は切換手段による冷凍室への冷気配分の増減によって所定温度、例えば−１８℃になるようにしてある（例えば、特許文献１参照）。
【０００４】
図１０は特許文献１の冷蔵庫を示し、冷蔵庫１０１内には冷凍室１０２と冷蔵室１０３の二室が設けてある。これら冷凍室１０２と冷蔵室１０３は圧縮機１０４と冷却器１０５によって生成された冷気を冷却ファン１０６によって供給されて冷却されるようになっている。すなわち、圧縮機１０４と冷却器１０５によって生成された冷気は前記冷蔵室１０３及び冷凍室１０２に連通する吐出風路１０７、１０８を介して供給される。そして、冷蔵室１０３に設けた温度検知手段１０９によって冷蔵室の温度が管理温度４℃に管理される。このとき、図示されていないが、前記吐出風路１０７、１０８の間には同吐出風路１０７、１０８に配分する冷気の量を切り換える切換手段が設けてあり、この切換手段によって冷凍室１０２へ供給される冷気量を増減することによって冷凍室温度が所定温度−１８℃以下になるようにしてある。
【先行技術文献】
【特許文献】
【０００５】
【特許文献１】特開２００７−１３９２５４号公報
【発明の概要】
【発明が解決しようとする課題】
【０００６】
この様な特許文献１に記載された冷蔵庫は冷蔵室１０３の管理温度を調節する温度調節器を持たないので、安価に提供することができる利点がある。
【０００７】
しかしながら、温度調節器を持たないので冷蔵室１０３の管理温度を変更することが出来ず、例えば環境温度が低い春、秋等に冷蔵室１０３の管理温度を高めに切り換えて節電運転をする、というような使い方が出来ない、という課題があった。
【０００８】
この冷蔵室１０３の管理温度を変更するためには温度調節器を設ければよく、実際に温度調節器を設けた冷蔵庫が商品化されている。
【０００９】
しかしながら、上記従来の温度調節器を設けた冷蔵庫は、当該温度調節器が可変抵抗器等の電子部品を基に構成されていて価格的に高くつき、しかもこの温度調節器を冷蔵室壁に取り付けるに際しては冷蔵室の冷気が温度調節器取り付け部分から漏れないように複雑なシール構成とした上で更にパッキンを設けたり、温度検知手段の基板に接続するリード線や、温度調節器となる可変抵抗器を操作する調節つまみ或いは調節ボタンを設けるなど追加部品も多くなり、大幅にコストアップする。
【００１０】
また、このようなコストアップを抑えるため、シール構成の簡素化やパッキンの廃止或いは安価なパッキンを採用したりすると、前記温度調節器が電気部品からなる構成のため、例えば長期間使用しているうちに冷蔵室内の冷気が漏れて結露により温度調節器の故障を引き起こすなどのことが懸念され、信頼性の点で課題が残るとともに、価格的にもそれほど下がらず、コスト高の問題は残るという課題があった。
【００１１】
本発明はこの様な点に鑑みてなしたもので、コストアップをほとんど発生させず、かつ、故障の懸念もない温度調節機能を付加して節電運転を可能とした安価な冷蔵庫を提供するものである。
【課題を解決するための手段】
【００１２】
上記目的を達成するため本発明の冷蔵庫は、冷蔵室と、冷凍室と、圧縮機と、冷却器と、冷却ファンと、前記冷蔵室内に冷気を吐出する吐出口を有する吐出風路と、前記冷蔵室内の冷気を吸込む吸込み口を有する戻り風路と、前記冷蔵室の温度を検知する温度検知手段とを備えた冷蔵庫であって、当該冷蔵庫に更に前記吐出風路と隣接して冷蔵室内に面する隣接空間を設け、この隣接空間に前記温度検知手段を設け、前記隣接空間を前記冷却ファンからの直通冷気で冷却可能に構成するとともに、前記隣接空間の直通冷気による冷却をする／しないに選択可能な調整手段を設けた構成としてある。
【００１３】
これにより、温度検知手段は調整手段によって隣接空間を冷却する冷却ファンからの直通冷気をゼロ、すなわち直通冷気による隣接空間の冷却をしないとしたときには、吐出口から供給された冷蔵室内の冷気の温度を検知してこれまで通り冷蔵室の冷気温度を検知するが、調整手段を操作して冷却ファンからの直通冷気が隣接空間を冷却するように流れるようにしたときには、隣接空間は前記直通冷気の影響を受けて冷却され、短時間に管理温度に達する。そして温度検知手段はこの管理温度を検知して冷却動作を停止させるが、そのときの冷蔵室の冷気温度は管理温度よりも高めの状態であり、実質的に冷蔵室の管理温度を高め変更したようになる。したがって、上記調整手段を操作して直通冷気の流れを調整することによって冷蔵室の管理温度を高めにして節電運転を行うことが可能になるとともに、従来の可変抵抗器のような高価な電子部品を使用したり、部品点数が増えたり、冷気漏れによる故障の恐れも無くなり、安価で信頼性の高いものとすることができる。
【発明の効果】
【００１４】
本発明は、コストアップをほとんど発生させず、かつ、故障の恐れも発生させずに冷蔵室の温度を調整することができ、冷蔵室温度を高め設定して節電運転が可能となる安価で信頼性の高い冷蔵庫を提供することができる。
【図面の簡単な説明】
【００１５】
【図１】本発明の実施の形態１における冷蔵庫の正面図
【図２】同冷蔵庫の冷蔵室の扉を開けたときの正面図
【図３】同冷蔵庫の縦断面図
【図４】同冷蔵庫の冷蔵室背面部に設けたダクト部材の斜視図
【図５】同冷蔵庫のダクト部材の背面斜視図
【図６】同図５のＡ部の拡大断面図
【図７】同冷蔵庫の冷気の流れを説明する説明図
【図８】本発明の実施の形態２における冷蔵庫の冷蔵室背面に設けたダクト部材の斜視図
【図９】同図８のＢ部の拡大断面図
【図１０】従来の冷蔵庫を示す縦断面図
【発明を実施するための形態】
【００１６】
第１の発明は、冷蔵室と、冷凍室と、圧縮機と、冷却器と、冷却ファンと、前記冷蔵室内に冷気を吐出する吐出口を有する吐出風路と、前記冷蔵室内の冷気を吸込む吸込み口を有する戻り風路と、前記冷蔵室の温度を検知する温度検知手段とを備えた冷蔵庫であって、当該冷蔵庫に更に前記吐出風路と隣接して冷蔵室内に面する隣接空間を設け、この隣接空間に前記温度検知手段を設け、前記隣接空間を前記冷却ファンからの直通冷気で冷却可能に構成するとともに、前記隣接空間の直通冷気による冷却をする／しないに選択可能な調整手段を設けた構成としてある。
【００１７】
これにより、調整手段により隣接空間を冷却する冷却ファンからの直通冷気をゼロ、すなわち直通冷気による隣接空間の冷却をしないとしたときには、温度検知手段は冷蔵室内の食品と熱交換してこれを冷却した後の冷蔵室内の冷気温度を検知するので、これまでと同様冷蔵室の温度は管理温度そのものに制御することができる。そして、調整手段を操作して冷却ファンからの直通冷気が隣接空間を冷却するように流したときには、前記温度検知手段は冷蔵室内の食品と熱交換していない冷却ファンからの直通冷気（以下、直通低温冷気と称す）によって冷却されることになる。その結果温度検知手段が検知する温度が短時間に管理温度に達し、冷却動作を短時間で停止することになる。よって、温度検知手段が管理温度になったことを検知したときの冷蔵室の実際の温度はあらかじめ設定されている管理温度より若干高めの温度となる。すなわち、前記調整手段により隣接空間への直通低温冷気の供給をゼロにしたときに冷蔵室が管理される温度と、直通低温冷気を供給するようにしたときに冷蔵室が管理される温度が変わる、すなわち管理温度が調節されることになる。したがって、上記調整手段を操作して直通低温冷気の流れを調整することによって冷蔵室の管理温度を高めにして節電運転を行うことが可能になる。そしてこの調整手段は隣接空間を冷却する直通低温冷気の流れを開閉制御するという機械的なものであってダンパーのような部材を追加するだけで構成できるから、可変抵抗器等の電子部品を基に構成した温度調節器のように大幅なコストアップは無く、かつ、長期間使用していても故障の恐れもなく安心して使用することができる。
【００１８】
第２の発明は、第１の発明において、前記隣接空間は吐出風路に隣接して設けるとともに当該隣接空間と吐出風路とを連通する連通孔を設け、前記連通孔を調整手段で開閉調整することにより隣接空間への冷気の流れを調整する構成としてある。
【００１９】
これにより、前記第１の発明と同様、冷蔵室の管理温度を高めにして節電運転を行うことが可能になるとともに、従来の可変抵抗器のような高価な電子部品を使用したり、部品点数が増えたり、冷気漏れによる故障の恐れも無くなり、安価で信頼性の高いものとすることができる。
【００２０】
第３の発明は、第１の発明において、前記隣接空間は冷蔵室の冷気の吐出口近傍に冷気取込孔を有し、更に当該隣接空間は戻り風路に隣接して設けるとともに当該隣接空間と戻り風路とを連通する連通孔を設け、前記連通孔或いは冷気取込孔の一方を調整手段で開閉調整することにより隣接空間への冷気の流れを調整する構成としてある。
【００２１】
これにより、前記第１、第２の発明と同様、冷蔵室の管理温度を高めにして節電運転を行うことが可能になるとともに、従来の可変抵抗器のような高価な電子部品を使用したり、部品点数が増えたり、冷気漏れによる故障の恐れも無くなり、安価で信頼性の高いものとすることができる。
【００２２】
第４の発明は、第１から第３の発明において、前記隣接空間に照明手段を設け、前記照明手段と前記温度検知手段とは同一基板上に配置した構成としてある。
【００２３】
これにより、照明手段を設ける空間を有効利用して効率的に温度検知手段を配置することができると同時にこの照明手段の基板と温度検知手段の基板を兼用することができ、構成の合理化による簡素化と部品点数の削減によるコストダウンも可能となる。
【００２４】
以下、本発明の実施の形態について、図面を参照しながら説明する。なお、この実施の形態によって本発明が限定されるものではない。
【００２５】
（実施の形態１）
図１は本発明の実施の形態１における冷蔵庫の正面図、図２は同冷蔵庫の冷蔵室の扉を開けたときの正面図、図３は同冷蔵庫の縦断面図、図４は同冷蔵庫の冷蔵室背面部に設けたダクト部材の斜視図、図５は同冷蔵庫のダクト部材の背面斜視図、図６は図５のＡ部の拡大断面図、図７は同冷蔵庫の冷気の流れを説明する説明図である。
【００２６】
図１〜図３において、１は冷蔵庫本体で、上部に冷蔵室２、下部に冷凍室３を備えている。この各冷蔵室２、冷凍室３は扉４、５によって開閉自在となっている。また、上記冷蔵室２は複数の食品棚２ａによって上下複数の区画に区切ってあり、食品収納の利便性を図っている。
【００２７】
６は冷蔵庫本体１の背面下部に設けた圧縮機、７は前記冷凍室３の背部に設けた冷却器、８は前記圧縮機６と冷却器７によって生成した冷気を送風する冷却ファンで、冷蔵庫本体１の冷蔵室２及び冷凍室３の背部に設けた風路を介して冷蔵室２と冷凍室３に冷気を供給、循環させるようになっている。
【００２８】
この風路は、図３〜図７に示すように、前記冷蔵室２内に冷気を吐出する吐出口１０を有する吐出風路１１と、前記冷蔵室２内の冷気を吸い込む吸込み口１２を有する戻り風路１３と、前記冷凍室３内に冷気を吐出する冷凍室吐出口１４と、前記冷凍室３内の冷気を吸い込む冷凍室吸込み口１５から構成してある。そして、前記冷蔵室２側の吐出口１０及び吐出風路１１と吸込み口１２及び戻り風路１３は冷蔵室背面壁に設けたダクト部材１６及び当該ダクト部材１６と冷蔵室背面の冷蔵庫本体内壁との間で形成してある。
【００２９】
また、前記ダクト部材１６には前記吐出風路１１に沿って後ろ向き凹状部を設けて隣接空間１７を形成し、この隣接空間１７の下部であって前記吸込み口１２近傍部分に温度検知手段１８が設けてある。この隣接空間１７の温度検知手段１８上方部分には複数のＬＥＤからなる照明手段１９が設けてあり、この照明手段１９と温度検知手段１８は同一の基板２０（図６参照）に配置してある。また、上記隣接空間１７の冷蔵室側開口は準透明の照明カバー２１で閉塞してあり、前記温度検知手段１８はこの照明カバー２１を介して冷蔵室２に面し間接的に冷蔵室２内の冷気温度を検知するようになっている。
【００３０】
ここでこの実施の形態では前記風路に以下のような構成を追加して温度調節機能を持たせてある。すなわち、前記隣接空間１７に隣接する吐出風路１１の壁面には図６に示すようにこれら両者を連通する連通孔２２が設けてあり、この連通孔２２を介して冷却ファン８からの直通低温冷気が隣接空間１７に直接流れ込み、温度検知手段１８がこれを検知するようにしてある。そして、前記連通孔２２にはこれを開閉するスライド自在な調整手段２３が設けてあり、この調整手段２３によって隣接空間１７に流れる冷却ファン８からの直通低温冷気を開閉調整することにより冷蔵室２内の温度を実質的に変更できるようになっている。
【００３１】
この実施の形態では上記調整手段２３は上下スライド自在なダンパーで構成し、図４に示すようにそのつまみ２４は冷蔵室背面壁に設けた上下方向の溝孔２５から冷蔵室内に突出させてあり、冷蔵室２内からつまみ２４を持って上下動させ連通孔２２を開閉すること
ができるように構成してある。
【００３２】
また、前記冷蔵室２へと冷気を流す吐出風路１１の途中には図７に模式的に示すように切換手段２６が設けてあり、これを図中左右にスライドさせることによって冷蔵室２への冷気の量を増減し、それに伴い冷凍室３への冷気量を増減させている。すなわち、冷蔵室２と冷凍室３への冷気の配分を切り替えられるようにしてあり、図４に示すように前記温度調整用のつまみ２４と同様冷蔵室２内からつまみ２７でスライド操作できるようにしてある。この切換手段２６は従来から設けられていたものと同様のものであり、その具体構成、作用等詳細は割愛する。
【００３３】
上記構成において、以下この冷蔵庫の動作を図４〜図７の矢印で示す冷気流れを基に説明する。
【００３４】
通常、連通孔２２は閉じて使用する。これにより、冷却ファン８から供給された冷気は吐出口１０から冷蔵室２内に吐出し、そのすべてが冷蔵室２内の食品を冷却しながら吸込み口１２に吸込まれ、戻り風路１３を介して冷却器７へと戻り循環していく。そして、温度検知手段１８はこの食品と熱交換してこれを冷却した冷気の温度を、照明カバー２１を介して間接的に検知し、その検知温度が管理温度、例えば４℃に達すると、圧縮機６と冷却ファン８を停止させる。また、上記食品と熱交換した冷蔵室２内の冷気温度が管理温度（デファレンシャル込み）を超えると圧縮機６と冷却ファン８の運転を再開し、管理温度に維持するようになる。
【００３５】
ここで、使用者がつまみ２４を持って調整手段２３を引き上げて連通孔２２を開くと、冷却ファン８から吐出口１０へと流れて冷蔵室２へと吐出する冷気の一部が吐出風路１１途中の連通孔２２からそのまま隣接空間１７に流れ込む。したがって、前記隣接空間１７に設けた温度検知手段１８は前記冷却ファン８からの直通低温冷気の影響、すなわち当該直通低温冷気によって冷却され、前記食品と熱交換した冷蔵室２内の温度上昇した冷気のみを検知している場合に比べ、短時間に管理温度４℃に達して圧縮機６と冷却ファン８を停止させる。その結果、冷蔵室２内は冷却時間が短くなった分管理温度に対し冷却不足気味になってそのときの温度は管理温度よりも高い、例えば１℃高い５℃となっている。すなわち、調整手段２３により連通孔２２を開くことによって冷蔵室２の管理温度を５℃に変更したのと同じ結果が得られ、従来の温度調節器と同様の機能を発揮することになる。したがって、使用者はこの調整手段２３を操作して連通孔２２を開くことにより冷蔵室２の実質管理温度を１℃上げた５℃で節電運転をすることができるようになる。
【００３６】
また、前記隣接空間１７に照明手段１９を設け、前記照明手段１９と前記温度検知手段１８とは同一基板２０上に配置した構成としてあるから、吐出風路１１の横のデッドスペースを有効利用して効率的に照明手段１９と温度検知手段１８を配置することができると同時に、この照明手段１９の基板と温度検知手段１８の基板を兼用して一つの基板２０としているから部品削減も可能となり、構成の合理化による簡素化と部品削減によるコストダウンも可能となる。
【００３７】
一方、前記調整手段２３は連通孔２２を開閉するだけのものであるから、単なる板材からなるダンパー等で構成することができ、可変抵抗器等の電子部品に比べ安価に提供できる。しかも温度検知手段１８に接続するリード線等も不要となって組み立て工数も削減でき、大幅なコストダウンを実現できる。加えて、調整手段２３は手動で機械的に駆動、例えば摺動させるだけであるから、故障の恐れは皆無に近く、長期間に亘ってその動作を保障することができる。
【００３８】
なお、この実施の形態では吐出風路１１から隣接空間１７に冷気を押し込む形態として
あるから、連通孔２２は非常に小さくしても隣接空間１７に低温冷気を比較的短時間に充満させることができ、冷蔵室２内に供給する冷気の量が当該隣接空間１７に供給する冷気によって減少してしまう度合いを微々たるものにすることができる。よって、隣接空間１７に冷気が充満する時間が短時間になっても、冷蔵室２に供給される冷気の量を多めに確保できるので冷蔵室２の冷却温度も適切な温度となるように設定、例えば、温度検知手段１８が管理温度４℃を検知したときの冷蔵室２内の温度を１℃高い５℃と設定することができる。また、温度検知手段１８が管理温度４℃に達したことを検知して圧縮機６と冷却ファン８を停止した後、隣接空間１７の直通低温冷気は隣接空間１７の開口部に設けた照明カバー２１の取付け部に生じているわずかな隙間から冷蔵室２内の冷気と入れ替わり、ついには冷蔵室２内の冷気温度と同じとなって、管理温度４℃を超え、これを温度検知手段１８が検知して圧縮機６と冷却ファン８の運転を再開させるので、隣接空間１７に直通低温冷気がいつまでも充満していて冷却動作を開始しなくなる、というような問題も発生しなく、冷蔵室内の温度を決められた温度に管理することができる。
【００３９】
（実施の形態２）
図８、図９は実施の形態２の冷蔵庫を示し、この冷蔵庫は隣接空間１７への冷気を吸込供給型としたものである。
【００４０】
すなわち、この実施の形態では冷蔵室２内において隣接空間１７を覆う照明カバー２１の上端部、すなわち、冷気の吐出口１０近傍に冷気取込孔２８を設けるとともに、隣接空間１７下部の戻り風路１３と隣接する部分には図９に示す如く隣接空間１７と戻り風路１３とを連通する連通孔２９を設け、この連通孔２９を開閉する調整手段３０を設けたものである。
【００４１】
この実施の形態の調整手段３０も上下スライド自在なダンパーで構成し、そのつまみ３１は冷蔵室背面壁に設けた上下方向の溝孔３２から冷蔵室内に突出させてあり、冷蔵室内からつまみ３１を持って上下動させ連通孔２９を開閉することができるように構成してある。
【００４２】
その他の構成は先の実施の形態と同様であり、説明は省略する。
【００４３】
この実施の形態の冷蔵庫では、連通孔２９を閉じているときには隣接空間１７内は冷蔵室２内の冷気が充満していて冷蔵室２温度と同じ温度となっており、温度検知手段はこの温度を検知して冷蔵室２を管理温度４℃に管理している。
【００４４】
この状態でつまみ３１をもって調整手段３０を操作し、連通孔２９を開けると、この連通孔２９に戻り風路１３の負圧が作用して隣接空間１７内の冷気が戻り風路１３へと吸込まれ、吐出口１０からの冷気が照明カバー２１上端部の冷気取込孔２８から隣接空間１７内へと流れ込むようになる。
【００４５】
この隣接空間１７に流れ込む冷気は、その冷気取込孔２８が冷気の吐出口１０近傍に位置してあることから、冷蔵室内の食品と熱交換する前の低温のままの冷気、すなわち、先の実施の形態１で説明した冷却ファン８からの直通低温冷気と略同じ温度レベルのものとなる。したがって、前記実施の形態１と同様、前記隣接空間１７に設けた温度検知手段１８は前記直通低温冷気の影響、すなわち当該直通低温冷気によって冷却され、前記食品と熱交換した冷蔵室２内の温度上昇した冷気のみを検知している場合に比べ、短時間に管理温度４℃に達して圧縮機６と冷却ファン８を停止させる。その結果、冷蔵室２内は冷却時間が短くなった分管理温度に対し冷却不足気味になってそのときの温度は管理温度よりも高い、例えば１℃高い５℃となっている。すなわち、調整手段２３により連通孔２２を開くことによって冷蔵室２の管理温度を５℃に変更したのと同じ結果が得られ、従来の温度
調節器と同様の機能を発揮することになる。したがって、使用者はこの調整手段２３を操作して連通孔２２を開くことにより冷蔵室２の実質管理温度を１℃上げた５℃で節電運転をすることができるようになる。
【００４６】
また、この実施の形態では隣接空間１７から冷気を吸込んで直通低温冷気を供給する吸込供給型としてあるから、冷蔵室２内に冷気を吐出する吐出口１０とこの吐出口１０からの低温冷気を隣接空間１７に取込む冷気取込孔２８との間の距離を変えることによって冷気取込孔２８に取込む冷気の温度を変えることができる。すなわち、前記両者の距離の大小によって吐出口１０から冷気取込孔２８までの間で冷気と食品とが熱交換する熱交換量が異なることになる。したがって、この吐出口１０と冷気取込孔２８との間の距離を変えることによって、冷蔵室２の実質管理温度を変えることができる。
【００４７】
なお、上記のように食品と熱交換して冷気取込孔２８から取込まれる冷気は、冷蔵室２の下部に設けてあって冷蔵室２内の全食品と熱交換して温度上昇している冷蔵室内冷気の温度よりは低い。よって、この実施の形態を含む本発明では、この様に冷蔵室２内の全食品と熱交換して温度上昇している冷蔵室内冷気よりも温度の低い冷気を直通冷気と定義付けるものとする。
【００４８】
その他の作用効果については先の実施の形態１と同様であり、説明は省略する。
【００４９】
この様に上記各実施の形態で説明した冷蔵庫は温度検知手段を設けた隣接空間を冷却する冷気を供給／供給停止することによって冷蔵室２の実質的な管理温度を変更できるようにしたものであるが、本発明の目的達成範囲内であれば種々変更可能である。例えば前記各実施の形態とも冷気は隣接空間の外周に供給して隣接空間内の温度検知手段を間接的に冷却するように構成しても良いものである。また実施の形態２における調整手段は冷気取込孔を開閉調整するようにしても良いものである。
【産業上の利用可能性】
【００５０】
以上のように本発明は、コストアップをほとんど発生させず、かつ、故障の恐れも発生させずに冷蔵室の温度を調整することができ、冷蔵室温度を高め設定して節電運転が可能となる安価で信頼性の高い冷蔵庫を提供することができ、業務用、家庭用を問わず幅広い冷蔵庫に適用することができる。
【符号の説明】
【００５１】
１  冷蔵庫本体
２  冷蔵室
２ａ  食品棚
３  冷凍室
４，５  扉
６  圧縮機
７  冷却器
８  冷却ファン
１０  吐出口
１１  吐出風路
１２  吸込み口
１３  戻り風路
１４  冷凍室吐出口
１５  冷凍室吸込み口
１６  ダクト部材
１７  隣接空間
１８  温度検知手段
１９  照明手段
２０  基板
２１  照明カバー
２２  連通孔
２３  調整手段
２４  つまみ
２５  溝孔
２６  切換手段
２７  つまみ
２８  冷気取込孔
２９  連通孔
３０  調整手段
３１  つまみ
３２  溝孔
【図１】
2014077607.tif 000003
【図２】
2014077607.tif 000004
【図３】
2014077607.tif 000005
【図４】
2014077607.tif 000006
【図５】
2014077607.tif 000007
【図６】
2014077607.tif 000008
【図７】
2014077607.tif 000009
【図８】
2014077607.tif 000010
【図９】
2014077607.tif 000011
【図１０】
2014077607.tif 000012